(57)【要約】【課題】緊急警報信号が入力された際にテレビジョン受像機の設置地域に関する緊急警報が発生しているか否かに応じて実行する処理を切り替える柔軟な制御を行い，ユーザに直接関係のある重要な緊急警報情報を確実に出力し，無駄な電力消費を回避し，電気的トラブルによる二次災害の誘発を回避すること。【解決手段】緊急警報信号から緊急警報の対象となる地域に関する警報地域情報を抽出し（Ｓ３），その警報地域情報と記憶手段に記憶されたテレビジョン受像機の設置地域情報との比較により，緊急警報の対象となる地域に当該テレビジョン受像機が設置されている地域が含まれる場合に，停止中の機器の起動させて緊急警報を強調して出力したり（Ｓ７，Ｓ８），警報出力後に機器への通電を停止したりする（Ｓ９）。【選択図】図２
2009225088.tif 000002
【特許請求の範囲】
【請求項１】
緊急警報信号を含むテレビジョン放送信号が入力された場合に緊急警報の出力処理を行う緊急警報出力手段を備えたテレビジョン受像機であって，
当該テレビジョン受像機が設置されている地域に関する設置地域情報が予め記憶された設置地域記憶手段と，
前記緊急警報信号から緊急警報の対象となる地域に関する警報地域情報を抽出する警報地域抽出手段と，
前記警報地域抽出手段により抽出された前記警報地域情報と前記設置地域記憶手段に記憶された前記設置地域情報との比較により，前記緊急警報の対象となる地域に当該テレビジョン受像機が設置されている地域が含まれる被警報地域内状態であるか否かを判別する被警報地域判別手段と，
前記被警報地域判別手段の判別結果に応じて，前記緊急警報信号を含む前記テレビジョン放送信号の入力に応じた緊急警報対応処理の内容を切り替える緊急警報対応制御手段と，
を具備してなることを特徴とするテレビジョン受像機。
【請求項２】
外部装置に対して制御信号を伝送する制御信号伝送手段を具備し，
前記緊急警報対応制御手段が，前記被警報地域判別手段により前記被警報地域内状態であると判別されたか否かに応じて，前記制御信号伝送手段を通じて前記外部装置に対して通電停止の制御信号を出力するか否かを切り替える外部装置制御手段を具備してなる請求項１に記載のテレビジョン受像機。
【請求項３】
前記緊急警報対応制御手段が，前記被警報地域判別手段により前記被警報地域内状態であると判別されたか否かに応じて，通電停止中の前記緊急警報出力手段に対する通電を開始させて緊急警報の出力処理を行うか否かを切り替える起動制御手段を具備してなる請求項１又は２のいずれかに記載のテレビジョン受像機。
【請求項４】
前記緊急警報対応制御手段が，前記被警報地域判別手段により前記被警報地域内状態であると判別されたか否かに応じて，前記緊急警報出力手段による前記緊急警報の出力処理の実行に不要な機器に対する通電を停止するか否かを切り替える第１通電停止制御手段を具備してなる請求項１〜３のいずれかに記載のテレビジョン受像機。
【請求項５】
当該テレビジョン受像機に所定レベル以上の揺れもしくは傾きが発生したことを検知する揺動検知手段を具備し，
前記第１通電停止制御手段が，前記被警報地域判別手段により前記被警報地域内状態であると判別され，かつ，前記揺動検知手段により前記所定レベル以上の揺れもしくは傾きの発生が検知されたか否かに応じて，前記緊急警報出力手段による前記緊急警報の出力処理の実行に不要な機器に対する通電を停止するか否かを切り替えてなる請求項４に記載のテレビジョン受像機。
【請求項６】
前記緊急警報対応制御手段が，前記被警報地域判別手段により前記被警報地域内状態であると判別されたか否かに応じて，前記緊急警報出力手段により前記緊急警報の出力処理が実行された後に，前記緊急警報の出力処理の実行に必要な機器に対する通電を停止するか否かを切り替える第２通電停止制御手段を具備してなる請求項１〜５のいずれかに記載のテレビジョン受像機。
【請求項７】
当該テレビジョン受像機に所定レベル以上の揺れもしくは傾きが発生したことを検知する揺動検知手段を具備し，
前記第２通電停止制御手段が，前記被警報地域判別手段により前記被警報地域内状態であると判別され，かつ，前記揺動検知手段により前記所定レベル以上の揺れもしくは傾きの発生が検知されたか否かに応じて，前記緊急警報出力手段により前記緊急警報の出力処理が実行された後に，前記緊急警報の出力処理の実行に必要な機器を含む機器に対する通電を停止するか否かを切り替えてなる請求項６に記載のテレビジョン受像機。
【請求項８】
前記緊急警報対応制御手段が，前記被警報地域判別手段により前記被警報地域内状態であると判別されたか否かに応じて，前記緊急警報出力手段による前記緊急警報の出力処理の形態を切り替える警報出力形態制御手段を具備してなる請求項１〜７のいずれかに記載のテレビジョン受像機。
【発明の詳細な説明】
【技術分野】
【０００１】
本発明は，緊急警報信号を含むテレビジョン放送信号が入力された場合に緊急警報を出力する機能を備えたテレビジョン受像機に関するものである。
【背景技術】
【０００２】
テレビジョン放送において，地震や津波等の災害の発生時やその発生が予測される場合に，緊急災害の警報情報を表す緊急警報信号を含むテレビジョン放送信号（以下，単に放送信号という）が放送局から発信される緊急警報放送システム（ＥＷＳ：Emergency Warning System）が採用されている。
そして，緊急警報放送システムに対応したテレビジョン受像機は，緊急警報信号を含む放送信号が入力された場合に，災害に関する緊急警報情報を映像や音声によって出力する緊急警報出力機能を備えている。
また，特許文献１には，映像表示部（ディスプレイ）が停止中であるときに，緊急警報信号を含む放送信号が入力された場合には映像表示部を起動させて緊急警報情報を表示させるテレビジョン受像機について示されている。
これにより，緊急警報情報が確実に報知される。
さらに，特許文献１には，自装置における傾きや衝撃が検出された場合には，緊急警報信号を含む放送信号が入力されても停止中の映像表示部を起動させないテレビジョン受像機についても示されている。
これにより，緊急警報出力を行うテレビジョン受像機そのものが，転倒等により生じる電気的なトラブルによって発煙或いは発火すること等により，二次災害の原因となることを防止できる。
【特許文献１】特開２００６−３１９８７７号公報
【発明の開示】
【発明が解決しようとする課題】
【０００３】
ところで，緊急警報信号は，その内容にかかわらず広範囲の地域（全国）で放送される。例えば，北海道地方に関する緊急警報信号は，九州地方においても放送される。
ここで，テレビジョン受像機が，緊急警報信号を含む放送信号が入力された場合に，停止中の映像表示部を常に自動起動させて緊急警報出力を行う場合を考える。この場合，テレビジョン受像機は，それが設置された地域とは全く異なる地域，即ち，そのテレビジョン受像機のユーザが存在する地域とは全く関係のない地域についての緊急警報信号が入力された場合であっても，停止中の映像表示部を自動起動させる。しかしながら，そのような場合にまでテレビジョン受像機を自動起動させることは，無駄に電力を消費するという問題点があった。また，テレビジョン受像機が，自動起動した後にその常態を維持すると，その地域で生じた災害による電気的トラブルによって二次災害を誘発するいう問題も生じ得る。
一方，特許文献１に示されるように，テレビジョン受像機が，自装置において傾きや衝撃が検出されたときに停止中の映像表示部の起動を禁止する場合を考える。この場合，地震が発生した地域に設置されたテレビジョン受像機は，地震の揺れに反応して傾きや衝撃を検出し，ユーザに直接関係のある重要な緊急警報情報を出力できない。そのため，テレビジョン受像機が，緊急警報放送システムの本来の目的を果たすことができないという問題点があった。
以上に示した問題点を解決するためには，テレビジョン受像機は，緊急警報信号を含む放送信号が入力された場合に，その設置地域に関する緊急警報が発生しているか否かによって実行する処理を切り替える必要がある。
従って，本発明は上記事情に鑑みてなされたものであり，その目的とするところは，緊急警報信号が入力された際に当該テレビジョン受像機の設置地域に関する緊急警報が発生しているか否かに応じて実行する処理を切り替える柔軟な制御を実現するテレビジョン受像機を提供し，ひいては，ユーザに直接関係のある重要な緊急警報情報を確実に出力することや，無駄な電力消費（自動起動）を回避すること，電気的トラブルによる二次災害の誘発を回避すること等を実現できるテレビジョン受像機を提供することにある。
【課題を解決するための手段】
【０００４】
本発明に係るテレビジョン受像機は，緊急警報信号を含むテレビジョン放送信号が入力された場合に緊急警報の出力処理を行う緊急警報出力手段を備え，さらに，上記目的を達成するために次の（１）〜（４）に示す各構成要素を備えている。
（１）当該テレビジョン受像機が設置されている地域に関する設置地域情報が予め記憶された設置地域記憶手段。
（２）前記緊急警報信号から緊急警報の対象となる地域に関する警報地域情報を抽出する警報地域抽出手段。
（３）前記警報地域抽出手段により抽出された前記警報地域情報と前記設置地域記憶手段に記憶された前記設置地域情報との比較により，前記緊急警報の対象となる地域に当該テレビジョン受像機が設置されている地域が含まれる被警報地域内状態であるか否かを判別する被警報地域判別手段。
（４）前記被警報地域判別手段の判別結果に応じて，前記緊急警報信号を含む前記テレビジョン放送信号の入力に応じた緊急警報対応処理の内容を切り替える緊急警報対応制御手段。
【０００５】
本発明に係るテレビジョン受像機は，緊急警報信号が入力された際に，当該テレビジョン受像機の設置地域に関する緊急警報が発令されている状態（前記被警報地域内状態）であるか否かに応じて実行する処理を切り替えることができる。
例えば，本発明に係るテレビジョン受像機が，外部装置に対して制御信号を伝送する制御信号伝送手段を備える場合，前記緊急警報対応制御手段が，次の（５）に示される構成を備えることが考えられる。
（５）前記被警報地域判別手段により前記被警報地域内状態であると判別されたか否かに応じて，前記制御信号伝送手段を通じて前記外部装置に対して通電停止の制御信号を出力するか否かを切り替える外部装置制御手段。
これにより，当該テレビジョン受像機の設置地域に関する緊急警報が発令されている場合に，当該テレビジョン受像機に接続された外部機器の電気的トラブルによる二次災害の誘発を回避できる。
また，前記緊急警報対応制御手段が，次の（６）に示される構成を備えることも考えられる。
（６）前記被警報地域判別手段により前記被警報地域内状態であると判別されたか否かに応じて，通電停止中の前記緊急警報出力手段に対する通電を開始させて緊急警報の出力処理を行うか否かを切り替える起動制御手段。
これにより，ユーザに直接関係のある重要な緊急警報情報が確実に出力されるとともに，ユーザに直接関係の無い緊急警報情報の出力のために無駄に電力を消費すること（無駄な自動起動）が回避される。
【０００６】
また，前記緊急警報対応制御手段が，次の（７）に示される構成を備えることも考えられる。
（７）前記被警報地域判別手段により前記被警報地域内状態であると判別されたか否かに応じて，前記緊急警報出力手段による前記緊急警報の出力処理の実行に不要な機器に対する通電を停止するか否かを切り替える第１通電停止制御手段。
例えば，当該テレビジョン受像機に，オプションのアンプ付き外部スピーカが接続され，標準の内蔵スピーカが取り外されているような場合，その内蔵スピーカ用のアンプは，前記緊急警報の出力処理の実行に不要な機器である。
前記第１通電停止制御手段が設けられることにより，当該テレビジョン受像機の設置地域に関する緊急警報が発令されている場合に，緊急警報出力が行われる一方で，不要な機器に対する通電が停止されるので，電気的トラブルによる二次災害が誘発される可能性を低減できる。
また，前記緊急警報対応制御手段が，次の（８）に示される構成を備えることも考えられる。
（８）前記被警報地域判別手段により前記被警報地域内状態であると判別されたか否かに応じて，前記緊急警報出力手段により前記緊急警報の出力処理が実行された後に，前記緊急警報の出力処理の実行に必要な機器に対する通電を停止するか否かを切り替える第２通電停止制御手段。
例えば，緊急警報情報を表示する映像表示手段や，アラーム音を出力する音声出力手段に関連する機器が，前記緊急警報の出力処理の実行に必要な機器の一例である。
前記第２通電停止制御手段が設けられることにより，当該テレビジョン受像機の設置地域に関する緊急警報が発令されている場合に，緊急警報出力が確実に実行され，その後，その緊急警報出力に用いられた機器に対する通電が停止されるので，電気的トラブルによる二次災害が誘発される可能性を低減できる。
【０００７】
また，本発明に係るテレビジョン受像機が，当該テレビジョン受像機に所定レベル以上の揺れもしくは傾きが発生したことを検知する揺動検知手段を備えることが考えられる。
その場合，前記第１通電停止制御手段や前記第２通電停止制御手段が，前記被警報地域判別手段により前記被警報地域内状態であると判別され，かつ，前記揺動検知手段により前記所定レベル以上の揺れもしくは傾きの発生が検知されたか否かに応じて，前述した通電停止の制御を行うことも考えられる。このようなテレビジョン受像機は，その設置地域に関する緊急警報が発令されている場合であっても，電気的トラブルが生じるほどの揺れや傾きが検知されなかった場合には，機器に対する通電の自動停止を行わない。これにより，電気的トラブルによる二次災害が生じる恐れがない場合には，ユーザの利便性が優先され好適である。
また，前記緊急警報対応制御手段が，次の（９）に示される構成を備えることも考えられる。
（９）前記被警報地域判別手段により前記被警報地域内状態であると判別されたか否かに応じて，前記緊急警報出力手段による前記緊急警報の出力処理の形態を切り替える警報出力形態制御手段。
これにより，ユーザに直接関係のある緊急警報情報をそうでない情報よりも強調して出力すること等が可能となる。その結果，当該テレビジョン受像機は，ユーザが，出力された緊急警報情報がそのユーザにとって緊急性が高いか否かを容易に把握し，迅速かつ的確に行動するための有効なツールとなる。
【発明の効果】
【０００８】
本発明に係るテレビジョン受像機は，緊急警報信号が入力された際に当該テレビジョン受像機の設置地域に関する緊急警報が発生しているか否かに応じて実行する処理を切り替える柔軟な制御を実現することができる。その結果，本発明に係るテレビジョン受像機は，ユーザに直接関係のある重要な緊急警報情報を確実に出力することや，無駄な電力消費（自動起動）を回避すること，電気的トラブルによる二次災害の誘発を回避すること，ユーザの迅速かつ的確な行動を促すこと等を実現できる。
【発明を実施するための最良の形態】
【０００９】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は本発明の実施形態に係るテレビジョン受像機Ｘを含むＡＶシステムＺの概略構成を表すブロック図，図２はテレビジョン受像機Ｘによる緊急警報対応処理の手順を表すフローチャート，図３はテレビジョン受像機Ｘにおける緊急警報出力画面の一例を表す図である。
【００１０】
まず，図１に示すブロック図を参照しつつ，本発明の実施形態に係るテレビジョン受像機Ｘと録画再生装置Ｙとを含むＡＶ（Audio Visual）システムＺの構成について説明する。
ＡＶシステムＺは，緊急警報信号を含む放送信号（テレビジョン放送信号）が入力された場合に緊急警報を出力する機能を備えたテレビジョン受像機Ｘと１台又は複数台の外部装置Ｙとが，ＨＤＭＩ規格に準拠した信号伝送手段であるＨＤＭＩインターフェース２によって通信可能に構成されたシステムである。ここで，前記外部装置Ｙは，例えば，録画再生装置やセットトップボックス等である。
また，本発明の実施形態に係るテレビジョン受像機Ｘは，図１に示すように，チューナ１，ＨＤＭＩインターフェース２，映像切替回路３，映像処理回路４，映像表示部５，制御回路６，リモコンインターフェース（Ｉ／Ｆ）回路７，リモコン８，サブＭＰＵ９，音声切替回路１０，音声処理回路１１，アンプ１２，スピーカ１３及び通電切替回路１４等を具備して構成されている。
また，前記ＨＤＭＩインターフェース２は，２つのＨＤＭＩ受信部２ｘａ，２ｙａ（図中，ＨＤＭＩ−ＲＸと表記）及びＣＥＣインターフェース２ｘｂを備えている。
前記ＨＤＭＩ受信部２ｘａは，ＴＭＤＳ（Transition Minimized Differential Signaling）ライン４１に接続され，そのＴＭＤＳライン４１を通じて前記外部装置Ｙから伝送されてくる映像信号及び音声信号（いずれもデジタル信号）を受信し，それらの信号をそれぞれ前記映像切替回路３及び前記音声切替回路１０へ伝送する。
また，前記ＣＥＣインターフェース２ｘｂは，ＨＤＭＩ規格のオプション規格であるＣＥＣ規格に準拠したＣＥＣライン４２（ＣＥＣ信号の伝送ライン）に接続され，そのＣＥＣライン４２を通じて，前記外部装置Ｙそれぞれとの間で制御信号やその他の情報の送受信を行う（制御信号伝送手段の一例）。このＣＥＣインターフェース２ｘｂの受信情報の直接の伝送先及び送信情報の直接の供給元は，前記サブＭＰＵ９である。
なお，ＴＭＤＳライン４１は，複数本の信号ラインにより構成され，ＴＭＤＳライン４１及びＣＥＣライン４２は，見かけ上１本のＨＤＭＩケーブルとして構成されている。
【００１１】
前記チューナ１は，地上波放送信号やＢＳ衛星放送信号等の放送信号が入力され，その放送信号から，前記制御回路６により指示される放送チャンネルの信号を抽出（選局）する。さらに，前記チューナ１は，抽出した放送チャンネルの信号の検波によって映像信号及び音声信号を取り出し，その映像信号及び音声信号の各々を映像切替回路３及び音声切替回路１０各々へ伝送する。
また，前記チューナ１はＥＷＳ抽出部１ａを備えている。このＥＷＳ抽出部１ａは，入力された放送信号に緊急警報信号が含まれるか否かを判別する。さらに，前記ＥＷＳ抽出部１ａは，放送信号に前記緊急警報信号が含まれると判別した場合に，その緊急警報信号が表す情報（以下，緊急警報情報という）を放送信号から抽出し，抽出した情報を前記サブＭＰＵ９に伝送する。前記緊急警報情報には，緊急警報の種類（地震警報及び地震の震度，津波注意報，津波警報等）や緊急警報の対象となる地域の情報（都道府県名等：以下，警報地域情報という）等が含まれている。
【００１２】
前記映像切替回路３は，チューナ１及び前記ＨＤＭＩインターフェース２からの映像信号を入力し，それらの映像信号のうちの任意の１つの映像信号を制御回路６からの指示に従って選択して出力するものである。
前記映像処理回路４は，前記映像切替回路３から出力された映像信号に対して各種信号処理を行うものである。例えば，前記映像処理回路４は，ＯＳＤ機能やマルチ画面出力機能を備えている。
前記ＯＳＤ機能は，前記映像切替回路３からの映像信号に基づく映像に，制御回路６から指定された情報の映像をスーパーインポーズ（重ね合わせ）して前記映像表示部５に表示させる機能である。
前記映像表示部５は，液晶パネル及び液晶ドライバを備えた液晶表示部などにより構成され，前記映像処理回路４から出力される映像信号に基づく映像（即ち，視聴対象として選択された選局チャンネルの放送番組の映像）を表示するものである。
【００１３】
前記音声切替回路１０は，前記チューナ１からの音声信号及び前記ＨＤＭＩインターフェース２からの音声信号が入力され，それらの音声信号のうちの任意の１つの音声信号を，前記制御回路６からの指示に従って音声処理回路１１に出力するものである。
前記音声処理回路１１は，前記音声切替回路１０から出力された信号に対し，イコライズ処理やＤ／Ａ変換処理等を行うものである。
前記アンプ１２は，前記音声処理回路１１による処理後の音声信号を，前記制御回路６からの指示に従って増幅或いは減衰させる処理（ボリューム調節処理）を行い，スピーカ１３に出力するものである。
【００１４】
前記リモコン８は，当該テレビジョン受像機Ｘの動作の制御用の無線信号（例えば，赤外線信号）を出力するリモート操作器であり，不図示の操作入力部や無線信号出力回路等を備えている。前記リモコン８における前記操作入力部は，情報入力のためのチャンネル選択キーや音量調節キーなどである。また，前記リモコン８における前記無線信号出力回路は，前記操作入力部から伝送されてくる信号（即ち，テレビジョン受像機Ｘの動作の制御信号）を，無線信号（例えば，赤外線信号）に変換し，当該リモコン８からテレビ本体側へ無線伝送するものである。
一方，前記リモコンインターフェース回路７は，前記リモコン８から伝送される無線信号（赤外線信号等）を受信し，これを電気信号に変換することにより，前記リモコン８から伝送される各種情報を取得するとともに，その取得情報を前記サブＭＰＵ９に伝送するものである。
【００１５】
前記サブＭＰＵ９は，前記制御回路６と，前記リモコンインターフェース回路７，前記ＣＥＣインターフェース２ｘｂ及び前記ＥＷＳ抽出部１ａとの間で情報伝送を中継する処理を実行するマイクロコンピュータである。さらに，前記サブＭＰＵ９は，前記通電切替回路１４を制御する。
前記通電切替回路１４は，不図示の電源回路が商用電源に接続された状態において，前記サブＭＰＵ９からの制御指令に従って，当該テレビジョン受像機Ｘが備える各部品に対して通電するか否かを切り替える回路である。
例えば，前記通電切替回路１４は，当該テレビジョン受像機Ｘの通電状態を「稼動状態」から「待機状態」へ，又は「待機状態」から「稼動状態」へ切り替える。
ここで，前記待機状態とは，前記チューナ１（前記ＥＷＳ抽出部１ａを含む），前記ＨＤＭＩインターフェース２，前記リモコンインターフェース回路７，前記サブＭＰＵ９及び前記通電切替回路１４に対する電力供給は行われているが，前記制御回路６及びその他のＡＶ信号の出力処理を行う部品（前記映像切替回路３，前記映像処理回路４，前記映像表示部５，前記音声切替回路１０，前記音声処理回路１１及び前記アンプ１２：以下，ＡＶ出力部品という）に対する電力供給が行われていない状態である。
一方，前記稼動状態とは，前記待機状態において電力が供給される部品に加え，さらに，前記制御回路６及び前記ＡＶ出力部品に対しても電力が供給される状態である。
通常，前記サブＭＰＵ９は，前記リモコンインターフェース回路７を通じて通電切替信号が入力されるごとに，前記待機状態と前記通電状態とを切り替える。なお，前記通電切替信号は，前記リモコン８において電源キーの押下操作がなされたときに前記リモコンインターフェース回路７を通じて入力される。
【００１６】
前記制御回路６は，当該テレビジョン受像機Ｘ全体を制御するものである。前記制御回路６は，演算手段であるＭＰＵ６ａ，そのＭＰＵ６ａによって実行される制御プログラムが予め格納される記憶手段であるＲＯＭ６ｂ（ＥＰＲＯＭ），ＭＰＵ６ａが実行する処理において読み書きされる各種情報を記憶するＥＥＰＲＯＭ６ｃ等を備えている。この制御回路６が実行する処理は，前記ＭＰＵ６ａが前記ＲＯＭ６ｂに記憶されたプログラムを実行することによって実現される。
【００１７】
また，前記制御回路６は，前記リモコン８に対する操作に応じてチャンネル自動設定処理を実行する。このチャンネル自動設定処理は，当該テレビジョン受像機Ｘが設置されている地域に応じて，前記リモコン８において指定されるチャンネル番号と，前記放送信号から抽出（選局）すべき放送チャンネル（以下，選局チャンネルという）との対応関係を表すチャンネル対応情報を設定して前記ＥＥＰＲＯＭ６ｃに記憶させる処理である。
以下に，前記制御回路６が，その動作状態が所定のチャンネル設定モードである場合に実行する前記チャンネル自動設定処理の具体例を示す。
前記ＥＥＰＲＯＭ６ｃには，複数の地域名と，その地域名それぞれに対応する複数の前記地域コードと，その地域コードそれぞれに対応する前記チャンネル対応情報の候補とが関連づけられたチャンネル設定候補情報が予め記憶されている。
そして，前記制御回路６は，前記チャンネル設定候補情報に含まれる複数の前記地域名を前記映像表示部５に選択候補として表示させつつ，前記リモコン８を通じた選択操作入力に応じて，当該テレビジョン受像機Ｘの設置地域を表す前記地域コードを特定する。
さらに，前記制御回路６は，前記設置地域を表す前記地域コードに対応する前記チャンネル対応情報の候補を，選局に用いる前記チャンネル対応情報とする旨の情報を前記ＥＥＰＲＯＭ６ｃに記憶させる。即ち，前記ＥＥＰＲＯＭ６ｃには，選局に用いる前記チャンネル対応情報に対応する前記地域名が記憶される。その地域名は，当該テレビジョン受像機Ｘが設置されている地域を表す情報（以下，設置地域情報という）である。なお，前記ＥＥＰＲＯＭ６ｃは，前記設置地域情報を予め記憶する設置地域記憶手段の一例である。
以後，前記制御回路６は，前記リモコン８から前記リモコンインターフェース回路７を通じてチャンネル番号が伝送されてきた場合に，前記チャンネル対応情報に基づいて，前記チューナ１に抽出（選局）させる前記選局チャンネルを特定する。
【００１８】
また，前記制御回路６は，前記緊急警報信号を含む放送信号が入力された場合に，緊急警報の出力処理を行う。具体的には，前記制御回路６は，前記緊急警報情報を前記ＥＷＳ抽出部１ａ及び前記サブＭＰＵ９を通じて取得する。さらに，前記制御回路６は，前記映像処理回路４を制御することにより，前記緊急警報情報を前記映像表示部５に表示させる。同時に，前記制御回路６は，前記音声処理回路１１を制御することにより，緊急警報の出力中である旨を表す警報音を前記アンプ１２及び前記スピーカ１３を通じて出力させる。
なお，前記制御回路６，前記サブＭＰＵ９，前記映像処理回路４，前記映像表示部５，前記音声処理回路１１，前記アンプ１２及び前記スピーカ１３は，緊急警報の出力処理に必要な機器（以下，緊急警報出力機器という）である。
【００１９】
次に，図２に示すフローチャートを参照しつつ，前記テレビジョン受像機Ｘによる緊急警報対応処理の手順について説明する。以下に示すＳ１，Ｓ２，…は，テレビジョン受像機Ｘの処理手順（ステップ）の識別符号を表す。
まず，前記サブＭＰＵ９は，前記ＥＷＳ抽出部１ａから前記緊急警報情報が伝送されてきたか否かにより，当該テレビジョン受像機Ｘに前記緊急警報信号を含む放送信号が入力されているか否か（ＥＷＳ信号有りか否か）を判別する（Ｓ１）。
当該テレビジョン受像機Ｘは，前記待機状態及び前記稼働状態のいずれにおいても前記ＥＷＳ抽出部１ａ及び前記サブＭＰＵ９が稼働中（通電有りの状態）であるので，商用電源に接続されている限りステップＳ１の処理を実行できる。
【００２０】
そして，前記サブＭＰＵ９は，前記緊急警報信号が入力されていると判別すると，前記待機状態である場合には，前記通電切替回路１４を制御することによって前記制御回路６に対する通電を開始させる（Ｓ１）。これにより，停止中の前記制御回路６が起動し，その制御回路６が，後述する緊急警報の出力に関する処理（Ｓ３〜Ｓ１１）を実行する。なお，前記稼働状態である（前記制御回路６が起動済みである）場合には，ステップＳ２の処理はスキップされ，以降のステップＳ３〜Ｓ１１の処理が実行される。
一方，前記サブＭＰＵ９は，前記緊急警報信号が入力されていないと判別すると，当該テレビジョン受像機Ｘが次の（ａ１）又は（ａ２）に示すいずれかの状態である場合には，前記緊急警報信号が入力されるか否かの監視を引き続き継続する（Ｓ１２，Ｓ１３，Ｓ１）。
（ａ１）当該テレビジョン受像機Ｘが前記待機状態である（前記稼動状態ではない）場合。
（ａ２）当該テレビジョン受像機Ｘが前記稼動状態であって，過去の緊急警報情報の出力中ではない場合。
また，前記サブＭＰＵ９は，前記緊急警報信号が入力されていないと判別したとき，当該テレビジョン受像機Ｘが前記稼動状態であって，過去の緊急警報情報の出力中である場合には，緊急警報の出力を解除し（Ｓ１４），前記緊急警報信号が入力されるか否かの監視を引き続き継続する（Ｓ１）。ここで，前記緊急警報の出力の解除とは，前記映像表示部５に対する緊急警報情報の表示，及び前記スピーカ１３を通じた警報音出力を中止することである。
【００２１】
前記緊急警報信号が入力されている場合，前記制御回路６が，前記サブＭＰＵ９から前記緊急警報情報を取得し，その緊急警報情報の中から緊急警報の対象となる地域を表す情報（以下，警報地域情報という）を抽出する（Ｓ３）。なお，前記サブＭＰＵ９及び前記制御回路６が，前記緊急警報信号から前記警報地域情報を抽出する警報地域抽出手段の一例である。
さらに，前記制御回路６は，ステップＳ３において抽出した前記警報地域情報と前記ＥＥＰＲＯＭ６ｃに記憶された前記設置地域情報との比較により，緊急警報の対象となる地域（警報地域）に当該テレビジョン受像機Ｘが設置されている地域（設置地域）が含まれる状態（以下，被警報地域内状態という）であるか否かを判別する（Ｓ４，前記被警報地域判別手段の一例）。
例えば，前記制御回路６は，前記警報地域情報に前記設置地域情報と一致する情報（地域名）が含まれている場合に前記被警報地域内状態であると判別する。或いは，前記ＥＥＰＲＯＭ６ｃに，前記緊急警報情報に含まれ得る地域名と，前記地域コードが表す地域名との包含関係を表す地域包含関係情報を予め記憶させておくことも考えられる。その場合，前記制御回路６は，前記警報地域情報と前記設置地域情報と前記地域包含関係情報との対比によって前記被警報地域内状態であるか否か（前記設置地域情報が前記警報地域情報に包含される関係にあるか否か）を判別する。
【００２２】
そして，前記制御回路６は，ステップＳ４において前記被警報地域内状態ではないと判別した場合，当該テレビジョン受像機Ｘの通電状況を判別し（Ｓ１１），その判別結果に応じて以下の処理（Ｓ１１又はＳ１２）を行い，その後，処理手順が前述したステップＳ１へ戻される。
即ち，前記緊急警報出力機器４〜６，９，１１〜１３が全て通電されて稼動中である場合には，前記制御回路６は，緊急警報の出力処理を実行する（Ｓ１１）。
一方，前記緊急警報出力機器４〜６，９，１１〜１３の１つ以上が通電されておらず停止中である場合には，前記制御回路６からの指令を受けた前記サブＭＰＵ９が，前記通電切替回路１４を制御することにより，前記制御回路６に対する通電を停止させて当該テレビジョン受像機を前記待機状態に戻す（Ｓ１２）。
なお，ステップＳ１１の処理が実行されるのは，前記緊急警報信号が検出された時点で既に前記稼動状態であった場合である。また，ステップＳ１２の処理が実行されるのは，前記緊急警報信号が検出された時点で前記待機状態であった場合である。
【００２３】
以下，ステップＳ１１で実行される緊急警報の出力処理の具体例について説明する。
ステップＳ１１において，前記制御回路６は，前記映像処理回路４を制御することにより，前記ＥＷＳ抽出部１ａから前記サブＭＰＵ９を通じて得た前記緊急警報情報を前記映像表示部５に表示させる。同時に，前記制御回路６は，前記音声処理回路１１を制御することにより，前記スピーカ１３を通じて警報チャイム音を出力させる。
図３（ａ）は，ステップＳ１１の処理によって前記映像表示部５に表示される緊急警報出力画面ｖ１の一例である。前記被警報地域内状態ではない場合，図３（ａ）に示されるように，前記緊急警報情報が既に表示中の画面ｖ０の隅に小さく表示される通常タイプの緊急警報画面ｖ１が前記映像表示部５に表示される。また，出力される警報音は，比較的音量の小さなチャイム音である。これにより，ユーザは，出力された前記緊急警報情報がそのユーザにとって特に緊急性が高いものではないことを容易に把握でき，冷静な行動をとることができる。
【００２４】
一方，前記制御回路６は，ステップＳ４において前記被警報地域内状態であると判別した場合，前記通電切替回路１４を制御することにより，緊急警報の出力処理の実行に不要な機器（前記緊急警報出力機器４〜６，９，１１〜１３以外の機器）に対する通電を停止させる（Ｓ５）。
例えば，前記制御回路６は，当該テレビジョン受像機Ｘが前記稼動状態である場合，前記緊急警報信号の抽出処理を終えた前記チューナ１，前記映像切替回路３及び前記音声切替回路１０に対する通電を停止させる（Ｓ５）。また，テレビジョン受像機Ｘが，図１に示されていない音声信号出力インターフェースを備え，それにアンプ付きの外部スピーカ（オプション部品）が接続されており，本来は本体に組み込まれている標準部品である前記スピーカ１３が取り外されている場合には，前記アンプ１２に対する通電も停止させる（Ｓ５）。ここで，前記制御回路６は，前記スピーカ１３が取り外されているか否かを，当該テレビジョン受像機Ｘに対する標準部品やオプション部品の着脱状態を表す機器接続情報に基づいて判別する。なお，前記機器接続情報は，前記制御回路６が，前記リモコン８を通じた操作入力に応じて予め設定され，前記ＥＥＰＲＯＭ６ｃに記憶される。
【００２５】
さらに，前記制御回路６は，ステップＳ４において前記被警報地域内状態であると判別した場合，前記ＣＥＣインターフェース２ｘｂを通じて，前記外部装置Ｙに対して通電停止の制御信号を出力する処理も実行する（Ｓ６）。
これらステップＳ５，Ｓ６の処理により，前記被警報地域内状態である場合に，緊急警報出力に不要な内部機器や外部装置Ｙに対する通電が停止されるので，電気的トラブルによる二次災害が誘発される可能性を低減できる。
【００２６】
また，前記制御回路６は，ステップＳ４において前記被警報地域内状態であると判別した場合，当該テレビジョン受像機Ｘが前記待機状態であれば，前記通電切替回路１４を制御することにより，前記緊急警報出力機器４〜６，９，１１〜１３に対する通電を開始させ，それらを起動させる（Ｓ７）。なお，当該テレビジョン受像機Ｘが前記稼動状態であれば，巣タップＳ７の処理はスキップされる。
さらに，前記制御回路６は，緊急警報の出力処理を実行する（Ｓ８）。具体的には，前記制御回路６は，前記映像処理回路４を制御することにより，前記ＥＷＳ抽出部１ａから前記サブＭＰＵ９を通じて得た前記緊急警報情報を前記映像表示部５に表示させる。同時に，前記制御回路６は，前記音声処理回路１１を制御することにより，前記スピーカ１３を通じて警報ブザー音を出力させる。なお，前記スピーカ１３が取り外されており，前記音声信号出力インターフェース（不図示）に外部スピーカが接続されている場合には，前記制御回路６は，その外部スピーカを通じて警報ブザー音を出力させる。
【００２７】
図３（ｂ）は，ステップＳ８の処理によって前記映像表示部５に表示される緊急警報出力画面ｖ２の一例である。前記被警報地域内状態である場合，図３（ｂ）に示されるように，前記緊急警報情報が比較的大きく強調して表示される強調タイプの緊急警報画面ｖ２が前記映像表示部５に表示される。また，出力される警報音は，緊急性を強調するための音量の大きなブザー音である。これにより，ユーザは，出力された前記緊急警報情報がそのユーザにとって緊急性が高いことを容易に把握でき，迅速かつ的確な行動をとることができる。
そして，前記制御回路６による緊急警報の出力処理（Ｓ８）が実行された後，前記制御回路６から指令を受けた前記サブＭＰＵ９が，前記前記通電切替回路１４を制御することにより，前記緊急警報出力機器４〜６，９，１１〜１３に対する通電を停止させる（Ｓ９）。これにより，緊急警報対応処理が終了する。
【００２８】
以上に示したように，前記制御回路６は，前記被警報地域内状態であるか否かの判別（Ｓ４）を行った結果に応じて，前記緊急警報信号を含む放送信号の入力に応じた緊急警報対応処理を，ステップＳ５〜Ｓ９の処理とするか，ステップＳ１０〜Ｓ１２の処理とするかを切り替える。
即ち，前記制御回路６は，ステップＳ４の処理により前記被警報地域内状態であると判別したか否かに応じて，前記ＣＥＣインターフェース２ｘｂを通じて前記外部装置Ｙに対して通電停止の制御信号を出力するか（Ｓ６），或いはそれをしないか（Ｓ１０〜Ｓ１２）を切り替える外部装置制御を実行する。
これにより，当該テレビジョン受像機Ｘの設置地域に関する緊急警報が発令されている場合に，前記外部機器Ｙの電気的トラブルによる二次災害の誘発を回避できる。
【００２９】
また，前記制御回路６は，ステップＳ４の処理により前記被警報地域内状態であると判別したか否かに応じて，通電停止中の前記緊急警報出力機器４〜６，９，１１〜１３に対する通電を開始させて緊急警報の出力処理を行うか（Ｓ７，Ｓ８），或いはそうしないか（Ｓ１０〜Ｓ１２）を切り替える起動制御を実行する。
これにより，ユーザに直接関係のある重要な緊急警報情報が確実に出力されるとともに，ユーザに直接関係の無い緊急警報情報の出力のために無駄に電力を消費すること（無駄な自動起動）が回避される。
【００３０】
また，前記制御回路６は，ステップＳ４の処理により前記被警報地域内状態であると判別したか否かに応じて，緊急警報の出力処理の実行に不要な機器に対する通電を停止するか（Ｓ５），或いはそうしないか（Ｓ１０〜Ｓ１２）を切り替える通電停止制御を実行する。
これにより，当該テレビジョン受像機Ｘの設置地域に関する緊急警報が発令されている場合に，緊急警報出力が行われ（Ｓ８），その一方で不要な機器に対する通電が停止される（Ｓ５）ので，電気的トラブルによる二次災害が誘発される可能性を低減できる。
また，前記制御回路６は，ステップＳ４の処理により前記被警報地域内状態であると判別したか否かに応じて，前記緊急警報出力機器４〜６，９，１１〜１３を通じた緊急警報の出力処理（Ｓ８）の実行後，その緊急警報出力機器４〜６，９，１１〜１３に対する通電を停止するか（Ｓ９），或いはそうしないか（Ｓ１０〜Ｓ１２）を切り替える通電停止制御も実行する。
これにより，当該テレビジョン受像機Ｘの設置地域に関する緊急警報情報が確実に出力され（Ｓ８），その後の通電の自動停止（Ｓ９）により，電気的トラブルによる二次災害が誘発される可能性を低減できる。
【００３１】
また，前記制御回路６は，ステップＳ４の処理により前記被警報地域内状態であると判別したか否かに応じて，緊急警報の出力処理の形態を，図３（ｂ）に示した前記強調タイプの緊急警報画面ｖ２の出力やブザー音の出力を行う形態とするか（Ｓ８），或いは図３（ａ）に示した前記通常タイプの緊急警報画面ｖ１の出力やチャイム音の出力を行う形態とするかを切り替える警報出力形態制御を実行する。
これにより，当該テレビジョン受像機Ｘは，ユーザが，出力された緊急警報情報がそのユーザにとって緊急性が高いか否かを容易に把握し，迅速かつ的確に行動するための有効なツールとなる。
【００３２】
また，以上に示した実施形態の他，前記テレビジョン受像機Ｘが，自装置に所定レベル以上の揺れもしくは傾きが発生したことを検知する揺動検知センサ（不図示）を備えた実施例も考えられる。前記揺動検知センサは，例えば，振動センサや傾きセンサ等である。
そして，前記制御回路６が，前記被警報地域内状態であると判別し（Ｓ４），かつ，前記緊急警報信号が検出される前の所定時間内（例えば，過去５分以内）に前記揺動検知センサにより所定レベル以上の揺れもしくは傾きの発生が検知されていた場合に，前述したステップＳ５，Ｓ６及びＳ９における通電停止処理を実行し，そうでなければそれらの通電停止処理を実行しないという実施例が考えられる。これは，前記テレビジョン受像機Ｘの設置地域に関する緊急警報が発令されている場合であっても，電気的トラブルが生じるほどの揺れや傾きが検知されなかった場合には，機器に対する通電の自動停止（Ｓ５，Ｓ６，Ｓ９）を行わないという実施例である。これにより，電気的トラブルによる二次災害が生じる恐れがない場合には，ユーザの利便性が優先され好適である。
【産業上の利用可能性】
【００３３】
本発明は，テレビジョン受像機に利用可能である。
【図面の簡単な説明】
【００３４】
【図１】本発明の実施形態に係るテレビジョン受像機Ｘを含むＡＶシステムＺの概略構成を表すブロック図。
【図２】テレビジョン受像機Ｘによる緊急警報対応処理の手順を表すフローチャート。
【図３】テレビジョン受像機Ｘにおける緊急警報出力画面の一例を表す図。
【符号の説明】
【００３５】
Ｘ    ：テレビジョン受像機
Ｙ    ：外部装置
Ｚ    ：ＡＶシステム
１    ：チューナ
１ａ  ：ＥＷＳ抽出部
２ｘａ：ＨＤＭＩ受信部
２ｘｂ：ＣＥＣインターフェース
３    ：映像切替回路
４    ：映像処理回路
５    ：映像表示部
６    ：制御回路
７    ：リモコンインターフェース回路
８    ：リモコン
９    ：サブＭＰＵ
１０  ：音声切替回路
１１  ：音声処理回路
１２  ：アンプ
１３  ：スピーカ
１４  ：通電切替回路
４１  ：ＴＭＤＳライン
４２  ：ＣＥＣライン
Ｓ１，Ｓ２，…：処理手順（ステップ）
【図１】
2009225088.tif 000003
【図２】
2009225088.tif 000004
【図３】
2009225088.tif 000005